(57)【要約】      （修正有）【課題】眼鏡構成部材のうち最も注視度が高いレンズ部分に好適で、立体感があり大胆かつファッショナブルな複合装飾体とこれを用いた眼鏡を提供する。【解決手段】ガラス又は合成樹脂材を素材とする、透明または半透明または着色された第１レンズ１に、レーザビームによる装飾手段を施した第１レンズ１と同素材と属性を有する、第２レンズ２をＵＶ硬化性接着剤またはエポキシ系接着剤を介して貼着し、複合装飾体Ｓとし、これをレンズ部に装着して眼鏡とした。【選択図】図１
0003155189.tif 000002
【実用新案登録請求の範囲】
【請求項１】
ガラス又は合成樹脂材を素材とする、透明または半透明または着色された第１のレンズまたはプレートと、全体または一部に装飾手段を施した、ガラスまたは合成樹脂材を素材とする、透明または半透明または着色された第２のレンズまたはプレートよりなり、前記第１のレンズまたはプレートに、第２のレンズまたはプレートを、ＵＶ硬化性接着剤または、エポキシ系接着剤を介して貼着したことを特徴とする複合装飾体。
【請求項２】
前記第２のレンズまたはプレートへの装飾手段が、レーザビームを用いて各種の絵柄、模様、図形、文字、数字等を切削、切断、溶断等の加工によることを特徴とする、請求項１記載の複合装飾体。
【請求項３】
請求項１及び請求項２記載の、複合装飾体を用いた、両眼用眼鏡または、一体型眼鏡。
【考案の詳細な説明】
【技術分野】
【０００１】  本考案は、複合装飾体及び眼鏡に係り、詳しくは、サングラス、ファッショングラス及びレジャー用グラス等のレンズ部分として好適な複合装飾体及び眼鏡に関する。
【背景技術】
【０００２】  従来より、眼鏡装着の目的は、視力の矯正が主であったが、近年の眼鏡は特に、サングラス、ファッショングラス及びレジャー用グラス類はその名称が示すように遮光性、ファッション性及び娯楽性を目的として装着するようにもなってきている。【０００３】  しかし、従来の眼鏡やサングラスの染色、着色技術ではレンズ全体を同色にするかまたは、レンズ半分の染色しかできないので、カラーは単一で変化に乏しくまた、ファッショングラスは、眼鏡のフレーム、ブリッジ、テンプル、等の眼鏡構成部材に対し、あらかじめデザインカットした装飾部材等を当該眼鏡構成部材に鑞付けしたり、接着剤またはその他の方法による装着等がなされている（例えば、特許文献１の図２、参照）が、装飾部材が矮小であり、また装着部位が部分的である等の理由で、その目的であるファッション性の昂揚効果はあまり発揮されていないさらに、レジャー用グラス例えば、スポーツ観戦やパーティーその他の各種イベント時の興趣昂揚に適した眼鏡は実現していないのが現状である。
【先行技術文献】
【特許文献】
【０００４】
【特許文献１】特開２００３−０２１８１３号公報
【考案の概要】
【考案が解決しようとする課題】
【０００５】  本考案は、上記の現状に鑑み、眼鏡構成部材のうち最も注視度が高いレンズ部分に好適で、立体感があり大胆かつファッショナブルな複合装飾体とこれを用いた眼鏡を提供することを課題としている。
【課題を解決するための手段】
【０００６】  請求項１に係る複合装飾体は、ガラス又は合成樹脂材を素材とする、透明または半透明または着色された第１のレンズまたはプレートと、全体または一部に装飾手段を施した、ガラスまたは合成樹脂材を素材とする、透明または半透明または着色された第２のレンズまたはプレートよりなり、前記第１のレンズまたはプレートに、第２のレンズまたはプレートを、ＵＶ硬化性接着剤または、エポキシ系接着剤を介して貼着したことを特徴とするものである。【０００７】  請求項２は、請求項１に記載の複合装飾体において、前記第２のレンズまたはプレートへの装飾手段が、レーザビームを用いて各種の絵柄、模様、図形、文字、数字等を切削、切断、溶断等の加工によることを特徴とするものである。【０００８】  請求項３は、請求項１及び請求項２記載の複合装飾体を用いた、両眼用眼鏡または、一体型眼鏡とするものである。
【考案の効果】
【０００９】  本考案は、上記構成になるから以下の効果を奏する。即ち、請求項１によれば、透明または半透明または着色された第１レンズと、透明または半透明または着色されかつ、レーザビームにより装飾手段を施された第２レンズの貼着によるから、各種態様の複合装飾体が得られ、例えば、第１レンズが透明で、第２レンズを黄色に着色したものであれば、従来のレンズにはない興趣が醸し出され、また第１レンズと第２レンズの組み合わせを異色とすれば、従来の染色、着色法では出せない配色が現出されるのでサングラスのレンズ部に好適である。【００１０】  請求項２によれば、第２レンズは多種態様のデザインがレーザビームにより容易に製作されので、ファッショングラス及びレジャー用グラスの装飾体として多岐の選択が可能で、いわゆるＴ．Ｐ．Ｏ（Ｔｉｍｅ．Ｐｌａｃｅ．Ｏｃｃａｓｉｏｎ）に適した眼鏡の製作に好適でありかつ、その製作コストは安価であるという経済的利点も有する。【００１１】  請求項３によれば、第１レンズと第２レンズを貼着した複合装飾体をレンズ部として両眼型の眼鏡にすれば、立体的で大胆かつ、ファッショナブルな眼鏡を提供でき、また第１レンズに第２レンズ（プレート）の日本国旗の英文字及び、感嘆符！を貼着しているので、これを例えば、サッカー、ラグビー又は野球等の国際試合に着用して声援すれば、興趣をさらに盛り上げることができる。
【図面の簡単な説明】
【００１２】
【図１】本発明の複合装飾体Ｓの一実施態様の分解斜視図である。
【図２】同、複合装飾体Ｓの一実施態様の分解斜視図である。
【図３】（ａ）〜（ｃ）同、第１のレンズ１と第２のレンズ２の貼着説明図である。
【図４】同、複合装飾体Ｓを用いた両眼型眼鏡Ｇの斜視図である。
【図５】同、複合装飾体Ｓを用いた一体型眼鏡Ｇの斜視図である。
【考案を実施するための形態】
【００１３】  以下、図面に基づき本考案に係る複合装飾体及び眼鏡について詳述する。図１及び図２は、複合装飾体Ｓの一実施態様の分解斜視図、図３（ａ）〜図３（ｃ）は、第１のレンズまたはプレートと第２のレンズまたはプレートの貼着説明図、図４及び図５は、複合装飾体Ｓを用いた眼鏡Ｇの斜視図である。なお、ここにいうプレートとは、いわゆる度付きでない、平面板を意味する。
【００１４】  図面中１は、第１のレンズまたはプレート（以下、第１レンズ１という）で、ガラスを素材とするものは、通常の製法即ち、無機または有機ガラスを成型用型（眼鏡レンズ用モールド）で注型重合成型により製造されたもので、合成樹脂材としては例えば、耐衝撃性に優れ、軽量でかつ、染色性に優れており、切断、切削、及び研磨等の加工性が良好であること等種々の特徴を有する、ＣＲ−３９、アクリル、ポリカーボネート等が好ましく、ＣＲ−３９は、注型重合成型により製造され、アクリルまたはポリカーボネートは、ポリスチレン製またはポリプロピレン製等の金型を用いた射出成型法等により製作される。
【００１５】  第１レンズ１及び第２のレンズまたはプレート（以下、第２レンズ２という）の染色、着色は、公知常法の技術即ち、分散染料の赤、青、黄の三原色を混合して水中に分散させた染色液を調合し、この染色液を染色槽内で９０□程度に加熱し、その中にレンズ等を浸漬する浸漬法や、有機色素顔料を用い、放射状に昇華させるか、昇華性染料を塗布してなる基体を加熱して着色する気相法等により染色、着色される。
【００１６】  第２レンズ２の素材は、上記の第１レンズ１と同じで、無機または有機ガラスか、ＣＲ−３９、アクリル、ポリカーボネート等が選択され、透明または半透明または着色されており、レーザビーム例えば、炭酸レーザビーム、エキシマレーザビーム等により、図１に示すように、第２レンズ２の一部に曲線模様２ａを形成したり、図２に示すように第２レンズ２を日本国旗２の形状にしたり、英文字２や感嘆符２とすることもできまた、各種の絵柄、図形、数字等を選択して製作することも可能である。なお、第１レンズ１も第２レンズ２と同様に、レーザビームによる各種の加工等ができるのはいうまでもない。
【００１７】  透明または半透明または着色された第１レンズ１と、透明または半透明または着色されかつ、レーザビームにより装飾手段を施された第２レンズ２の貼着は、図３（ａ）に例示するように、基盤３に載置した第１レンズ１と第２レンズ２間にＵＶ硬化性の接着剤４例えば、ロクタイト・コーポレーション（Ｌｏｃｔｉｔｅ  Ｃｏｒｐｏｒａｔｉｏｎ）社製のＬｏｃｔｉｔｅ３７５（商標名）４を介在させ、ＵＶ（Ｕｌｔｒａｖｉｏｌｅｔ  ｒａｙｓ）照射することにより強固に貼着され複合装飾体Ｓの製作は完了する。
【００１８】  図３（ｂ）は、第２レンズ２、２どうしを重合し硬化性の接着剤４を介し、ＵＶ照射により貼着した例を示し、図３（ｃ）は、第２レンズ２に第１レンズ１を載置し硬化性の接着剤４を介し、ＵＶ照射により貼着した例を示している。
【００１９】また、エポキシ系接着剤は、液状の接着剤が好ましく、第１レンズ１と第２レンズ２間に数ミリグラムを滴下し、加圧して貼着する。
【００２０】  図４は、複合装飾体Ｓをフレーム５、ブリッジ６、パッド７、テンプル８等の眼鏡構成部材に装着し両眼型の眼鏡Ｇとしたものである。
【００２１】  図５は、複合装飾体Ｓをフレーム５、テンプル８等に装着し一体型の眼鏡Ｇとしたものである。なお、両眼型の眼鏡Ｇ及び一体型の眼鏡Ｇ共に眼鏡用光学レンズを染色により製作した部品を使用するために、眼鏡本来の視界性、透過性は損なわれることはない。
【００２２】以上、本考案について説明してきたが、この考案は例示した実施形態にのみ限定されるものではなく、その本質を逸脱しない範囲で種々の変性例が可能なことはいうまでもない。
【符号の説明】
【００２３】Ｓ  複合装飾体
Ｇ  眼鏡
１  第１レンズ
２  第２レンズ
４  接着剤
【図１】
0003155189.tif 000003
【図２】
0003155189.tif 000004
【図３】
0003155189.tif 000005
【図４】
0003155189.tif 000006
【図５】
0003155189.tif 000007
【手続補正書】
【提出日】平成21年8月11日(2009.8.11)
【手続補正１】
【補正対象書類名】実用新案登録請求の範囲
【補正対象項目名】請求項３
【補正方法】変更
【補正の内容】
【請求項３】
請求項１または２記載の、複合装飾体を用いた、両眼用眼鏡または、一体型眼鏡。